【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
コンテンツアイテムに関連するデータを得る方法であって、前記方法が、
前記コンテンツアイテムを複数のクラスのうちの一つに自動的に分類するステップ、
前記コンテンツアイテムが前記複数の所定のクラスのうちの一つに分類されたとき、前記コンテンツアイテムに関連するデータを得るためにデータベースルックアップを実行するステップ、
前記コンテンツアイテムが前記複数の所定のクラスのうちの一つに分類されなかったとき、前記データベースルックアップの実行を行わないことを決定するステップ、
前記データベースルックアップが実行されたとき、前記データベースルックアップが前記データを得ることができなければ、手作業で処理するための出力部に前記コンテンツアイテムを送るステップ、
前記データベースから前記データが得られれば、手作業で処理するための前記出力部に前記コンテンツアイテムを送らないことを決定するステップ、を有する方法。
【請求項２】
請求項１に記載の方法において、
前記自動的に分類するステップは、前記コンテンツアイテムの特徴を前記複数のクラスの内の１つにマッピングする特徴抽出処理を前記コンテンツアイテムに実行するステップを含み、
前記複数のクラスは、音楽クラスと音楽以外クラスを含み、
前記データベースルックアップは、前記コンテンツが前記音楽クラスにマッピングされたときに実行され、
前記方法は、前記特徴抽出処理が前記コンテンツアイテムを認識できないものと分類したときに手作業で処理するための前記出力部に前記コンテンツアイテムを送らないことを決定するステップをさらに含むことを特徴とする方法。
【請求項３】
請求項２に記載の方法において、
前記コンテンツアイテムが前記音楽クラスにマッピングされたとき、及び前記データベースルックアップが前記データを得ることができなかったときに、前記方法は、さらに、
前記コンテンツアイテムから抽出した特徴に基づいて、前記コンテンツアイテムを、クラシック、ロック、ジャズ、ラップ、ポップのうちの一つを含む音楽サブクラスを識別するようにマッピングするステップ、
前記音楽サブクラスに基づいて、手作業で処理するための複数の出力部のうちの一つを選択するステップ、
手作業で処理するための前記選択された出力部に前記コンテンツアイテムを送るステップ、を含み、
前記選択された出力部は、前記識別された音楽サブクラスに関連する端末に関連することを特徴とする方法。
【請求項４】
請求項２に記載の方法において、
前記コンテンツアイテムが前記音楽クラスにマッピングされたとき、前記方法はさらに、
前記コンテンツアイテムから抽出した特徴に基づいて、前記コンテンツアイテムを、クラシック、ロック、ジャズ、ラップ、ポップのうちの一つを含む音楽サブクラスを識別するようにマッピングするステップ、を含み、
前記データベースルックアップは、前記識別された音楽サブクラスに関連する音楽サブクラスデータベースを使用して実行されることを特徴とする方法。
【請求項５】
請求項２に記載の方法において、
前記音楽以外クラスは広告クラス及び１つ以上のビデオクラスであり、
前記データベースルックアップは、前記コンテンツが前記音楽クラスにマッピングされたときに音楽データベースを使用して実行され、
前記データベースルックアップは、前記コンテンツが前記広告クラスにマッピングされたときに広告データベースを使用して実行され、
前記データベースルックアップは、前記コンテンツが前記１つ以上のビデオクラスにマッピングされたときに１つ以上のビデオデータベースを使用して実行されることを特徴とする方法。
【請求項６】
請求項２に記載の方法において、
前記コンテンツアイテムは前記音楽以外クラスにマッピングされるものであり、
前記特徴抽出処理は、さらに、
前記コンテンツアイテムから抽出した特徴に基づいて、前記コンテンツアイテムを広告、スピーチ、またはノイズとして分類するステップ、
前記コンテンツアイテムが広告として分類されたときに前記データベースルックアップを実行するステップ、
前記データベースルックアップが前記データを得ることができなかったときに、広告として分類された前記コンテンツアイテムを手作業で処理するための前記出力部に送るステップ、を含むことを特徴とする方法。
【請求項７】
請求項６に記載の方法において、
前記コンテンツアイテムがノイズとして分類されたときに、前記方法は、
前記コンテンツアイテムがノイズとして分類されたときに前記データベースルックアップの実行を行わないことを決定するステップ、
前記コンテンツアイテムがノイズとして分類されたときに手作業で処理するための前記出力部に前記コンテンツアイテムを送らないことを決定するステップ、を含むことを特徴とする方法。
【請求項８】
請求項２に記載の方法において、
前記コンテンツアイテムは、オーディオクリップ又はビデオクリップを含み、
前記手作業での処理は、前記コンテンツアイテムをユーザへの再生のための端末に提供することを含むことを特徴とする方法。
【請求項９】
請求項２に記載の方法において、
前記コンテンツアイテムのための識別子を得るステップをさらに含み、
前記データベースルックアップを実行することは、前記データを得るために前記識別子を使用することを含み、
前記データベースルックアップが前記データを得られなかったとき、前記方法は、さらに、前記特徴抽出処理を実行するステップをさらに含み、
前記データベースルックアップが前記データを得たとき、前記方法は、さらに、前記特徴抽出処理の実行を行わないことを決定するステップをさらに含むことを特徴とする方法。
【請求項１０】
請求項１に記載の方法において、
前記自動的に分類するステップは、前記コンテンツアイテムをノイズ又はノイズ以外のいずれかとして分類するステップを含み、
前記方法は、さらに、
前記コンテンツアイテムがノイズ以外として分類されたときに、前記複数のクラスのうちの一つに前記コンテンツアイテムの特徴をマッピングするために前記コンテンツアイテムに特徴抽出処理を実行するステップ、
前記コンテンツアイテムが前記複数のクラスのうちの一つにマッピングされたときに、前記コンテンツアイテムのための識別子を得るステップ、
前記コンテンツアイテムがノイズとして分類されたときに、前記コンテンツアイテムのための識別子を得ることを行わないことを決定するステップ、を含み、
前記識別子を得るステップは、前記コンテンツアイテムのためのフィンガープリントを算出するステップ、あるいは、前記コンテンツアイテム内に埋められたウォーターマークから前記識別子を抽出するステップを含むことを特徴とする方法。
【請求項１１】
コンテンツアイテムに関連するデータを得るシステムであって、前記システムが、
前記コンテンツアイテムを複数のクラスのうちの一つに自動的に分類する分類器、
前記コンテンツアイテムが前記複数の所定のクラスのうちの一つに分類されたとき、前記コンテンツアイテムに関連するデータを得るためにデータベースルックアップを実行するバックエンドモジュール、を含み、
前記コンテンツアイテムが前記複数の所定のクラスのうちの一つに分類されなかったとき、前記バックエンドモジュールが、前記データベースルックアップの実行を行わないことを決定し、
前記データベースルックアップが実行されたとき、前記システムは、前記データベースルックアップが前記データを得ることができなければ手作業で処理するための出力部に前記コンテンツアイテムを送り、
前記データベースから前記データが得られれば、前記システムは、手作業で処理するための前記出力部に前記コンテンツアイテムを送らないことを決定することを特徴とするシステム。
【請求項１２】
請求項１１に記載のシステムにおいて、
前記分類器は、前記コンテンツアイテムの特徴を前記複数のクラスの内の１つにマッピングする特徴抽出処理を前記コンテンツアイテムに実行し、
前記複数のクラスは、音楽クラスと音楽以外クラスを含み、
前記データベースルックアップは、前記バックエンドモジュールによって、前記コンテンツが前記音楽クラスにマッピングされたときに実行され、
前記システムは、前記特徴抽出処理が前記コンテンツアイテムを認識できないものと分類したときに手作業で処理するための前記出力部に前記コンテンツアイテムを送らないことを決定することを特徴とするシステム。
【請求項１３】
請求項１２に記載のシステムにおいて、
前記コンテンツアイテムが前記音楽クラスにマッピングされたとき、及び前記データベースルックアップが前記データを得ることができなかったときに、前記分類器はさらに、
前記コンテンツアイテムから抽出した特徴に基づいて、前記コンテンツアイテムを、クラシック、ロック、ジャズ、ラップ、ポップのうちの一つを含む音楽サブクラスを識別するようにマッピングし、
前記音楽サブクラスに基づいて、手作業で処理するための複数の出力部のうちの一つを選択するものであり、
前記システムは、手作業で処理するための前記選択された出力部に前記コンテンツアイテムを送り、
前記選択された出力部は、前記識別された音楽サブクラスに関連する端末に関連することを特徴とするシステム。
【請求項１４】
請求項１２に記載のシステムにおいて、
前記コンテンツアイテムが前記音楽クラスにマッピングされたとき、前記分類器は、さらに、
前記コンテンツアイテムから抽出した特徴に基づいて、前記コンテンツアイテムを、クラシック、ロック、ジャズ、ラップ、ポップのうちの一つを含む音楽サブクラスを識別するようにマッピングするものであり、
前記データベースルックアップは、前記識別された音楽サブクラスに関連する音楽サブクラスデータベースを使用して実行されることを特徴とするシステム。
【請求項１５】
請求項１２に記載のシステムにおいて、
前記音楽以外クラスは広告クラス及び１つ以上のビデオクラスであり、
前記データベースルックアップは、前記コンテンツが前記音楽クラスにマッピングされたときに音楽データベースを使用して実行され、
前記データベースルックアップは、前記コンテンツが前記広告クラスにマッピングされたときに広告データベースを使用して実行され、
前記データベースルックアップは、前記コンテンツが前記１つ以上のビデオクラスにマッピングされたときに１つ以上のビデオデータベースを使用して実行されることを特徴とするシステム。
【請求項１６】
請求項１２に記載のシステムにおいて、
前記コンテンツアイテムは前記音楽以外クラスにマッピングされるものであり、
前記特徴抽出処理は、さらに、
前記コンテンツアイテムから抽出した特徴に基づいて、前記コンテンツアイテムを広告、スピーチ、またはノイズとして分類し、
前記コンテンツアイテムが広告として分類されたときに前記データベースルックアップを実行するものであり、
前記システムは、前記データベースルックアップが前記データを得ることができなかったときに、広告として分類された前記コンテンツアイテムを手作業で処理するための前記出力部に送ることを特徴とするシステム。
【請求項１７】
請求項１６に記載のシステムにおいて、
前記コンテンツアイテムがノイズとして分類されたときに、前記バックエンドモジュールは、
前記コンテンツアイテムがノイズとして分類されたときに前記データベースルックアップの実行を行わないことを決定するものであり、
前記システムは、前記コンテンツアイテムがノイズとして分類されたときに手作業で処理するための前記出力部に前記コンテンツアイテムを送らないことを決定することを特徴とするシステム。
【請求項１８】
請求項１２に記載のシステムにおいて、
前記コンテンツアイテムは、オーディオクリップ又はビデオクリップを含み、
前記手作業での処理として、前記コンテンツアイテムがユーザのための端末での再生のために提供されることを特徴とするシステム。
【請求項１９】
請求項１２に記載のシステムにおいて、
前記コンテンツアイテムのための識別子を得る識別子取得モジュールをさらに含み、
前記データベースルックアップは、前記データを得るために前記識別子を使用することを含み、
前記データベースルックアップが前記データを得られなかったとき、前記分類器は、前記特徴抽出処理を実行し、
前記データベースルックアップが前記データを得たとき、前記分類器は、前記特徴抽出処理の実行を行わないことを決定することを特徴とするシステム。
【請求項２０】
請求項１１に記載のシステムにおいて、
前記分類器は、前記コンテンツアイテムをノイズ又はノイズ以外のいずれかとして分類し、
前記分類器は、
前記コンテンツアイテムがノイズ以外として分類されたときに、前記複数のクラスのうちの一つに前記コンテンツアイテムの特徴をマッピングするために前記コンテンツアイテムに特徴抽出処理を実行するものであり、
前記システムは、前記コンテンツアイテムが前記複数のクラスのうちの一つにマッピングされたときに、前記コンテンツアイテムのための識別子を得るものであり、
前記システムは、前記コンテンツアイテムがノイズとして分類されたときに、前記コンテンツアイテムのための識別子を得ることを行わないことを決定するものであり、
前記システムは、前記コンテンツアイテムのためのフィンガープリントを算出するためか、あるいは、前記コンテンツアイテム内に埋められたウォーターマークから前記識別子を抽出するための識別子取得モジュールを含むことを特徴とするシステム。
【請求項２１】
コンピュータによって実行される命令を含むコンピュータプログラムであって、当該命令は、コンピュータに、
コンテンツアイテムを複数のクラスのうちの一つに自動的に分類し、
前記コンテンツアイテムが前記複数の所定のクラスのうちの一つに分類されたとき、前記コンテンツアイテムに関連するデータを得るためにデータベースルックアップを実行し、
前記コンテンツアイテムが前記複数の所定のクラスのうちの一つに分類されなかったとき、前記データベースルックアップの実行を行わないことを決定し、
前記データベースルックアップが実行されたとき、前記データベースルックアップが前記データを得ることができなければ、手作業で処理するための出力部に前記コンテンツアイテムを送り、
前記データベースから前記データが得られれば、手作業で処理するための前記出力部に前記コンテンツアイテムを送らないことを決定するようにするものであるコンピュータプログラム。